(57)【要約】本発明は、金属鋳造容器の底孔にノズル又はコックを取り付けるための装置及び方法に関する。取り付けを実行するために、持ち上げ手段は、ノズル又はコックを底孔に隣接した頂点付近へと持ち上げ、ロック手段は、下降するノズル又はコックを頂点の付近にて停止させてロックする。
2007534502.tif 000002
【特許請求の範囲】
【請求項１】
金属鋳造容器（１）の底孔（２）にノズル又はコック（４）を取り付けるための装置であって、
上方の揺動曲線が頂点を有し、ノズル又はコック（４）を持ち上げる持ち上げ手段における揺動部材（９）と、
該頂点の付近にてノズル又はコック（４）を停止させてロックするロック手段（１２）とを備えていることを特徴とする該装置。
【請求項２】
請求項１に記載の装置であって、該揺動部材（９）は、該頂点の上方にノズル又はコックを（４）を持ち上げて下降し、それにより該ロック手段（１２）は該頂点の直後に該ノズル又はコック（４）が下降するのを停止して内部にて該ノズル又はコック（４）をロックすることを特徴とする該装置。
【請求項３】
請求項２に記載の装置であって、該揺動部材（９）は、ノズル又はコック（４）を下降せしめて、ノズル又はコック自体と底孔（２）との間に生じる圧縮力と、ロック手段（１２）による停止力との間の力でロックすることを特徴とする該装置。
【請求項４】
請求項１乃至３のいずれか一項に記載の装置であって、
持ち上げ手段は、水平部材（１１，１１ａ）を備え、該水平部材は揺動部材（９）と転がり接触又は摺動接触し、揺動部材（９）の揺動曲線を本質的に垂直な上昇運動に変換することを特徴とする該装置。
【請求項５】
請求項１から４のいずれか一項に記載の装置であって、
該揺動部材（９）は、傾動可能にヒンジ結合された骨組み（９）と、該骨組み（９）を持ち上げるパワーユニットとを備えていることを特徴とする装置。
【請求項６】
請求項５に記載の装置であって、
該骨組み（９）は、上部フレーム（８）と、該上部フレーム（８）にヒンジ結合された揺動アーム（９ａ，９ｂ）と、該揺動アーム（９ａ，９ｂ）にヒンジ結合された底部フレーム（１０）とから構成されている平行四辺形の骨組み（９）であることを特徴とする装置。
【請求項７】
請求項６に記載の装置であって、該パワーユニットは、頂点の近くの位置まで該上部フレーム（８）を持ち上げるために揺動アーム（９ａ，９ｂ）を回転させるようになっていることを特徴とする装置。
【請求項８】
請求項６または７に記載の装置であって、
該上部フレーム（８）は、ノズル又はコック（４）を支持する上部フレームであることを特徴とする装置。
【請求項９】
請求項８に記載の装置であって、
前記水平部材は、該揺動部材（９）の下方の伝達部材であって、該揺動部材（９）の底部に取り付けられたレール（１１）及びローラ又は摺動ランナを備えていることを特徴とする装置。
【請求項１０】
請求項９に記載の装置であって、該ロック手段（１２）は、該揺動部材（９）の経路途中に配置され、前記伝達部材のブレーキになっている少なくとも対抗部（１２）から構成されることを特徴とする装置。
【請求項１１】
請求項１０に記載の装置であって、
該対抗部（１２）は本質的に垂直な持ち上げ運動をガイドするようになっていて、ノズル又はコック（４）が底孔（２）に隣接して据えられることを特徴とする装置。
【請求項１２】
請求項６又は７に記載の装置であって、
前記水平部材は、該揺動部材（９）の上部フレーム（８）の頂部に位置し、転がり接触又は摺動接触する持ち上げフレーム（１１ａ）であって、持ち上げフレームは垂直な運動に制限されるように移動し、ノズル又はコック（４）を支持することを特徴とする装置。
【請求項１３】
請求項１２に記載の装置であって、
該持ち上げフレーム（１１ａ）は前記ロック手段（１２）を備え、該ロック手段は該上部フレーム（８）の回転運動を停止させる対抗部であることを特徴とする装置。
【請求項１４】
金属鋳造容器の底孔にノズル又はコックを取り付けるための配置であって、底孔と、ノズル又はコック（４）とを備える金属鋳造容器（１）と、請求項１乃至１３いずれかに記載された装置を備えていることを特徴とする配置。
【請求項１５】
請求項１４に記載の配置であって、
鋳造容器における丸い底孔（２）のまわりであって、ノズル又はコック（４）を底孔（２）に対して整列させてガイドするための該丸いノズル又はコック（４）における底孔（２）に隣接する端部（６）に配置されるガイドリング（それぞれ３及び７）を備えることを特徴とする配置。
【請求項１６】
請求項１５に記載の配置であって、
該ノズル又はコック（４）におけるガイドリング（７）は、該平行四辺形の骨組み（９）における上部フレーム（８）に、または頂部にある持ち上げフレーム（１１ａ）に適合する支持フランジとして働くようになっていることを特徴とする配置。
【請求項１７】
請求項１４、１５、又は１６に記載の配置であって、
コック（４）は、チャネルおよび該チャネル（５）を介して延在する回転対称な凹部を有する該チャネルの側部を有するマウスピース（４）と、該凹部に適合し、該チャネルの深部に横断孔を有する回転可能な閉鎖ユニットとを備え、
該閉鎖ユニットが回転した際に、該孔がチャネルを開閉することを特徴とする配置。
【請求項１８】
金属鋳造容器（１）の底孔（２）にノズル又はコック（４）を取り付ける方法であって、
底孔（２）に隣接した揺動曲線の頂点に近い位置へと上方にノズル又はコック（４）を回転させることにより持ち上げ、それにより該ノズル又はコック（４）を前記位置にて停止（１２）してロックさせる工程を有することを特徴とする方法。
【請求項１９】
請求項１８に記載の方法であって、
該頂点の上方にノズル又はコックを（４）を持ち上げて下降し、それにより該ロック手段（１２）は該頂点の直後に該ノズル又はコック（４）が下降するのを停止して内部にて該ノズル又はコック（４）をロックすることを特徴とする方法。
【請求項２０】
請求項１９に記載の方法であって、
該ノズル又はコック（４）を下降せしめて、ノズル又はコック自体と底孔（２）との間に生じる圧縮力と、停止力（１２）との間の力にてロックすることを特徴とする方法。
【請求項２１】
請求項１８乃至２０のいずれか一項に記載の方法であって、
該揺動曲線に従った運動は、水平な転がり運動又は摺動運動（１１，１１ａ）によって、本質的に垂直な上昇運動に変換されることを特徴とする方法。
【請求項２２】
請求項２１に記載の方法であって、
上方への揺動は、傾動可能にヒンジ結合された骨組み（９）と、該骨組みが備えているパワーユニットとによって実行されることを特徴とする方法。
【請求項２３】
請求項２２に記載の方法であって、
該骨組み（９）は、上部フレーム（８）と、該上部フレーム（８）にヒンジ結合された揺動アーム（９ａ，９ｂ）と、該揺動アーム（９ａ，９ｂ）にヒンジ結合された底部フレーム（１０）とから構成されている平行四辺形の骨組み（９）であることを特徴とする方法。
【請求項２４】
請求項２３に記載の方法であって、
該揺動アーム（９ａ，９ｂ）は、該パワーユニットによって、該上部フレーム（８）によって支持されている該ノズル又はコック（４）を該頂点近くの位置へと持ち上げるために回転することを特徴とする方法。
【請求項２５】
請求項２３又は２４に記載の方法であって、
上部フレーム（８）は、ノズル又はコック（４）を支持することを特徴とする方法。
【請求項２６】
請求項２５に記載の方法であって、
前記水平な転がり運動又は摺動運動（１１）は、該骨組み（９）を動かすことに使用され、該骨組みの揺動運動は垂直な上昇運動に変換させることを特徴とする方法。
【請求項２７】
請求項２６に記載の方法であって、
前記ノズル又はコック（４）をロックすると該骨組み（９）の該揺動運動を対抗部（１２）が停止し、その転がり運動又は摺動運動を停止するブレーキとなることを特徴とする方法。
【請求項２８】
請求項２７に記載の方法であって、
該対抗部（１２）は、該ノズル又はコック（４）の垂直運動を該底孔に対して整列させるようにガイドすることを特徴とする方法。
【請求項２９】
請求項２３又は２４に記載の方法であって、
該揺動部材（９）の該揺動曲線は、該上部フレーム（８）の頂部に配置され、該上部フレームと転がり接触又は摺動接触する持ち上げフレーム（１１ａ）によって、該揺動部材（９）の揺動曲線を本質的に垂直な上昇運動へと変換され、
該持ち上げフレーム（１１ａ）はノズル又はコック（４）を支持して、その動きは垂直な運動に限定されることを特徴とする方法。
【請求項３０】
請求項２９に記載の方法であって、
持ち上げフレーム（１１ａ）に設けられた対抗部（１２）によって、該上昇運動の頂点付近においてロックが実行されることを特徴とする方法。
【発明の詳細な説明】
【技術分野】
【０００１】
本発明は、金属鋳造容器の底孔にノズル又はコックを取り付けるための装置、構造、及び方法に関する。
【背景技術】
【０００２】
従来、溶融金属を収容した鋳造容器の底部から始まる鋳造導管を閉じるための閉止体として、昇降可能なプラグが用いられており、プラグは、溶融金属の表面を横切って延びる昇降ロッドに結合されている。この解決法においては、溶融金属が空になって導管を閉じるとき、プラグが鋳造孔を捕らえることは困難であった。さらに、プラグと鋳造孔との双方が使用中にすぐに摩耗した。
【０００３】
これらの問題点のために、特許文献１に開示されているように、鋳造孔のプラグは、後には、摺動式の閉止ユニットに交換されていた。摺動式の閉止ユニットにおいては、垂直軸線を中心として回動する水平なプレートが、垂直な鋳造導管の下端に当接させて配置され、プレートは開口部を備えていて、導管を開くには、開口部を導管の端部に整列させ、また、導管を閉じるには、プレートを回転させて開口部が導管から外れるようになっている。摺動式の閉止ユニットを形成するプレートは、大型のフレームによって支えられ、かかるフレームを介してプレートは回動される。そうした構造は、製造が困難であると共に、鋳造孔に取り付けたり、取り付けたまま保持したり、あるいは取り外したりすることは厄介で困難であった。
【特許文献１】フィンランド国特許出願公開第９２０２２号明細書  ノズルと、孔の設けられた回動可能な閉止プラグとからなる、閉止バルブタイプのコックを用いる解決策も示唆されている。これらは、特許文献２から特許文献５などの刊行物によって知られている。しかしながら、それらの問題点は、金属鋳造容器の底孔に取り付けたり、取り付けたまま保持したり、取り外したりすることが困難なことである。
【特許文献２】英国特許出願公開第１８３，２４１号明細書
【特許文献３】米国特許第４，９０５，８７６号明細書
【特許文献４】米国特許第４，９１３，３２４号明細書
【特許文献５】米国特許第４，５５７，４６２号明細書
【発明の開示】
【発明が解決しようとする課題】
【０００４】
本発明の目的は、上述したようなノズル又はコックの取り付けに関連した不都合がなく、金属鋳造に求められる高温において良好に働くような装置、構造、及び方法を提供することである。
【課題を解決するための手段】
【０００５】
問題点を解決するための新たな装置は、金属鋳造容器の底孔にノズル又はコックを取り付けるものである。かかる装置の主たる特徴は、ノズル又はコックを持ち上げる持ち上げ手段のための揺動部材を備え、揺動部材における上方揺動曲線は頂点を有し、頂点の付近にてノズル又はコックを停止させてロックするロック手段を備えていることである。
【０００６】
揺動部材は好ましくは、ノズル又はコックを持ち上げ、頂点を越えさせて下降せしめ、ロック手段が下降するノズル又はコックを頂点の直後にて停止させてロックする。揺動部材は、ノズル又はコックを下降せしめて、ノズル又はコック自体と底孔との間に生じる圧縮力と、ロック手段による停止力との間にてロックするのが好ましい。代表的には、持ち上げ手段は、水平部材を備え、該水平部材は揺動部材に対して転がり接触又は摺動接触し、揺動部材の揺動曲線を本質的に垂直な上昇運動に変換する。
【０００７】
好ましい実施形態によれば、揺動部材は、傾動可能にヒンジ結合された骨組みから構成され、骨組みを持ち上げるパワーユニットを備えている。骨組みのヒンジ結合によって、骨組みに取り付けられたノズル又はコックを持ち上げて、底孔に隣接させることが可能になる。持ち上げることは、骨組みとパワーユニットによって実行される。代表的には、骨組みは、平行四辺形の骨組みであって、上部フレームと、上部フレームにヒンジ結合された揺動アームと、揺動アームにヒンジ結合された底部フレームとから構成されている。
【０００８】
傾動可能な骨組みのための前記パワーユニットは好ましくは、揺動アームを揺動させて、上部フレームに支持されたノズル又はコックを、持ち上げ曲線の頂点に近い位置へと持ち上げる。
【０００９】
本発明の実施形態においては、骨組みにおける上部フレームは、ノズル又はコックを支持する上部フレームである。この場合において、前記水平部材は、揺動部材の下方に設けた伝達手段であって、揺動部材の底部に取り付けられた、レール及びホイール又は摺動ランナを備えているのが好ましい。揺動手段の揺動運動と水平伝達とを組み合わせることによって、本質的に垂直な運動が得られ、ノズル又はコックが底孔へ持ち上げられる。
【００１０】
ロック手段は、ノズル又はコックを停止させて、これを底孔に固定するために使用され、ロック手段は好ましくは、少なくとも対抗部から構成され、骨組みの揺動曲線の経路中に配置され、伝達手段に結合されたブレーキなどである。同時に、対抗部は上方への持ち上げ運動を制御して、ノズル又はコックを所定位置にもたらす。従って、レール上を動く代表的な摺動体が提供されて、ピボット式の回転可能なホイストを備える。摺動体はブレーキを備え、回転可能なホイストは垂直運動を制御する停止ピンを備える。
【００１１】
本発明の別の実施形態によれば、骨組みにおける上部フレームはノズル又はコックを単独で支持するのではなく、上部フレームの頂部には、上部フレームに転がり接触又は摺動接触している持ち上げフレームが備えられ、持ち上げフレームの動きは垂直な運動に限定されていて、持ち上げフレームはノズル又はコックと接触している。この場合、前記ロック手段を持ち上げフレームに据え付けて、上部フレームの転がり運動を停止させることが好ましい。
【００１２】
また、本発明は、金属鋳造容器の底孔にノズル又はコックを固定するための構造に関する。構造に含まれる金属鋳造容器は、底孔と、ノズル又はコック装置とを備える。構造を働かせると共に可能にするため、代表的には、相互結合されるガイドリングが、鋳造容器の丸い底孔と、丸いノズル又はコックの底孔とに隣接するような端部に設けられ、ノズル又はコックを底孔に対して整列させるように導く。さらに、ノズル又はコックにおけるガイドリングは、好ましくは、支持フランジとして働くようにデザインされていて、平行四辺形の骨組みにおける上部フレームに合致し（第１の実施形態）、または、頂部にある持ち上げフレームに合致する（第２の実施形態）。
【００１３】
金属鋳造容器の底孔に固定される部材は、ノズル又はコックである。好ましくはコックが、また、最も好ましくは、マウスピースから構成されたコックが、チャネルを有すると共に、チャネルの側部にはチャネルを通って延びる回転対称な凹部を有し、凹部に合致する回転可能な閉鎖ユニットは、チャネルの深さに横断孔を有し、閉鎖ユニットを回転させると、孔がチャネルを開閉させる。そうしたコックは閉止バルブの如く働く。
【００１４】
最後に、本発明は、金属鋳造容器の底孔にノズル又はコックを固定する方法に関する。かかる方法の主たる特徴は、底孔に隣接した、揺動曲線の頂点に近い位置へと上方に回転させて、ノズル又はコックを持ち上げ、ノズル又はコックを前記位置にて停止してロックさせることである。
【００１５】
好ましくは、ノズル又はコックを持ち上げて、頂点を越えさせてわずかに下降せしめ、下降するノズル又はコックを頂点の直後にて停止させて、かかる位置にロックする。これを実行するために好ましくは、ノズル又はコックを下降せしめて、ノズル又はコックと底孔との間に生じる圧縮力と、停止力との間にてロックする。
【００１６】
従って、曲線に沿って上方へ揺動することで、持ち上げられる。しかしながら、揺動曲線は、好ましくは、水平な転がり運動又は摺動運動の導入によって、垂直な上昇運動に変換される。その場合、揺動運動と水平運動との２つの運動の組み合わせによって、持ち上げは実行される。代表的に、水平運動は、水平面において、揺動運動が突き出る方向に起こる。
【００１７】
上方への揺動は、ヒンジ結合された傾動可能な骨組みと、これを傾動させる動力源とによって実行される。骨組みは好ましくは、平行四辺形の骨組みであって、上部フレームと、上部フレームにヒンジ結合された揺動アームと、揺動アームにヒンジ結合された底部フレームとから構成されている。動力源を用いて、揺動アームを回動させて、上部フレームによって支持されているノズル又はコックを、頂点近くの位置へと持ち上げる。
【００１８】
本発明の第１の実施形態によれば、前記平行四辺形の骨組みにおける上部フレームは、ノズル又はコックを支持している。その場合、前記水平な転がり運動又は摺動運動を用いて骨組み全体を動かして、骨組みの揺動運動を本質的に垂直な上昇運動に変化させる。前記ロックにおいては好ましくは、骨組みの揺動運動を対抗部によって停止させ、水平な転がり運動又は摺動運動をブレーキによって停止させる。同時に、対抗部は、本質的に垂直なノズルの上昇運動を底孔へ向けてガイドする。
【００１９】
本発明の第２の実施形態によれば、上部フレームの頂部に位置して上部フレームと転がり接触又は摺動接触する別個の持ち上げフレームによって、揺動部材の揺動曲線を本質的に垂直な上昇運動へと変換し、持ち上げフレームはノズル又はコックを支持して、その動きは垂直な運動に限定されている。持ち上げフレームに設けられた対抗部によって、上昇運動の頂点付近においてロックが実行される。
以下、添付図面を参照して、本発明について詳細に説明する。
【発明を実施するための最良の形態】
【００２０】
図１を参照すると、鋳造容器は底部１を備え、溶融金属を収容している。底部１は、放出孔２を備え、その周囲は、底部１から突出したリング３によって取り囲まれている。ノズル４は、チャネル５を有し、その上面６は、ジャケット７によって取り囲まれている。ノズル４は、孔を開けられた回転可能なペグ（図示せず）を備え、コックとして働く。
【００２１】
ノズル４は、傾動可能な平行四辺形の骨組み９によって支えられ、該骨組みは、上部フレーム８と、これにヒンジ結合された４本の揺動アーム９ａ及び９ｂと（図面において２本のアームは重なっている）、揺動アーム９ａ及び９ｂにヒンジ結合された底部フレーム１０とから構成されている。平行四辺形の骨組み９は、図面における左方（図１）又は右方（図２）へと傾動できる。傾動及び持ち上げの動作は、代表的に、揺動アーム９ａ及び９ｂ及び／又は上部フレーム８に結合された、パワーユニット（図示せず）によって実行される。平行四辺形の骨組み９の右方への傾動は、ロック手段の対抗部１２によって停止させられる。
【００２２】
平行四辺形の骨組み９は、レール１１上において、図面の左右に移動する。骨組み９とレール１１とはブレーキ等（図示せず）を備えていて、レール１１上における骨組み９の動きを停止させて、所定位置にてロックする。
【００２３】
据え付けを開始するとき、平行四辺形の骨組み９は、レール１１上の左隅のかなり低い位置にある。そして、パワーユニットとブレーキとによって、所定位置にロックされる。ノズル又はコック４は、上部フレームの頂部に配置され、ジャケット７の下面から吊下される。次に、平行四辺形は、孔２の下方へと押されて、孔から若干、左方に位置する。これは、図１に示した状態に対応している。
【００２４】
この後、揺動アーム９ａ及び９ｂ（及びこれらの２本のアーム）が傾動すると、骨組み９における平行四辺形の高さが増し、揺動アームが完全に直立すると（頂点）、ノズル又はコック４は鋳造容器の底部１に対して押圧され、チャネル５は開口部に隣接し、上面６はリング３の下面に対して押圧され、閉止部のジャケット７はリング３を取り囲む。骨組み９は、この頂点をわずかに越えて回動するが、右側の揺動アーム９ｂが対抗部１２に当接して、回動を停止させる。この状態を図２に示している。骨組み９はレール１１に対してロックされており、揺動アーム９ｂが対抗部１２に沿って下方へ摺動しないようになっている。
【００２５】
頂点における骨組み９の垂直運動は極めて小さく、ノズル又はコックは頂点からわずかに下降するけれども、リング３とジャケット７との間のシールは完璧であって、というのは、シール材料（図示せず）が据え付け前にそれらの表面に広がって、わずかな下降運動を補償するためである。ロックが起こって、ノズル又はコックが頂点に隣接するのが好ましい。ノズル又はコックが上方へ動こうとすると、鋳造容器の底部がそれを停止させる。ノズル又はコックが下方へ動こうとすると、対抗部がそれを止める。
【００２６】
図３は、良く似た構造を示している。しかし、これらの相違点として、まず、ノズル４は持ち上げフレーム１１ａで支えられ、その下側には、平行四辺形の骨組み９における上部フレーム８が設けられて、ローラによって持ち上げフレームを支持している。上部フレームは、上部フレームにヒンジ結合された、４本の揺動アーム９ａ及び９ｂと（図面において２本のアームは重なっている）、揺動アーム９ａ及び９ｂにヒンジ結合された、底部フレーム１０とから構成されている。揺動アーム９ａ及び９ｂの端部には、持ち上げフレームを支えるローラが設けられている。底部フレーム１０の形状は、図１及び図２に示したものと、若干異なっているけれども、その動作は同じである。平行四辺形の骨組みは、図面における左方（図３）又は右方（図４）へと傾動できる。傾動及び持ち上げの動作は、上部フレーム８の延長部分として働く、パワーユニット（１３）によって実行される。平行四辺形の骨組み９の右方への傾動は、持ち上げフレーム１１ａにおける対抗部１２によって停止させられる（図４）。
【００２７】
平行四辺形の骨組み９は、図１及び図２とは異なって、レール上を動くことはない。その代わりに、揺動アーム９ａ及び９ｂが回動すると、持ち上げフレーム１１ａはガイドされて、垂直方向だけに動く。持ち上げフレーム１１において、持ち上げ円弧の頂点に対して反対の側には、対抗部１２が設けられ、揺動アーム９ａ及び９ｂを停止させる。ノズル又はコック４は、底孔に当接して、所定位置にロックされる。
【００２８】
据え付けを開始するとき、平行四辺形の骨組み９は、図３に示す如く、左方へと傾動している。骨組みのローラに支えられた持ち上げフレーム１１ａは、その下方の低い位置にある。ノズル又はコック４は、持ち上げフレーム１１ａの頂部に配置され、ジャケット７の下面から吊下される。次に、揺動アーム９ａ及び９ｂ（及びこれらの２本のアーム）が傾動すると、骨組み９における平行四辺形の高さが増し、揺動アーム９ａ及び９ｂが完全に直立すると（頂点）、ノズル又はコック４は鋳造容器の底部１に対して押圧され、チャネル５は開口部に隣接し、上面６はリング３の下面に対して押圧され、閉止部のジャケット７はリング３を取り囲む。骨組み９は、この頂点をわずかに越えて回動するが、右側の揺動アーム９ｂが持ち上げフレーム１１ａにおける対抗部１２に当接して、回動は停止する。この状態を図４に示している。
【００２９】
頂点において、骨組み９の垂直運動は極めて小さく、ノズル又はコック４は頂点からわずかに下降するけれども、リング３とジャケット７との間のシールは完璧であって、というのは、シール材料（図示せず）が据え付け前にそれらの表面に広がって、わずかな下降運動を補償するためである。ロックが起こって、ノズル又はコックが頂点に隣接するのが好ましい。ノズル又はコック４が上方へ動こうとすると、鋳造容器の底部１がそれを停止させる。ノズル又はコック４が下方へ動こうとすると、対抗部１２がそれを止める。
【００３０】
当業者には明らかなように、本発明は、特許請求の範囲に定めた範囲内において、様々に具体化することが可能である。
【図面の簡単な説明】
【００３１】
【図１】本発明の実施形態による構造の装置について、その長手部分を示した図であって、コックを所定位置へと持ち上げる様子を示している。
【図２】本発明の実施形態による構造について、その長手部分を示した図であって、コックは所定位置に配置されている。
【図３】本発明の他の実施形態による構造について、その長手部分を示した図であって、コックを所定位置へと持ち上げる様子を示している。
【図４】本発明の他の実施形態による構造について、その長手部分を示した図であって、コックは所定位置に配置されている。
【図１】
2007534502.tif 000003
【図２】
2007534502.tif 000004
【図３】
2007534502.tif 000005
【図４】
2007534502.tif 000006
【国際調査報告】
2007534502.tif 000007
2007534502.tif 000008
2007534502.tif 000009